(57)【要約】【課題】食事等の飲食をする際において飲食物の嚥下の妨げになることがないと共に、誤嚥性肺炎を確実に防止することを可能にした使い勝手に優れた誤嚥性肺炎防止具を提供すること。【解決手段】使用者の気道ＫＤの入口位置に装着されると共に気道ＫＤを閉塞する気道閉塞体１０と、気道閉塞体１０を貫通し、喉側ＮＧから肺側ＨＧに向かう空気の流通を規制し、肺側ＨＧから喉側ＮＧに向かう空気の流通を許容する第１弁２２が配設された吐出用経路２０と、気道閉塞体１０を貫通し、喉側ＮＧから肺側ＨＧに向かう空気の流通を許容し、肺側ＨＧから喉側ＮＧに向かう空気の流通を規制する第２弁３２が配設された吸入用経路３０と、を具備し、吸入用経路３０は、使用者の鼻腔ＢＫから外部ＯＴに連通していると共に、鼻腔内で膨張する膨張体３４により鼻腔内で保持されていることを特徴とする誤嚥性肺炎防止具１００である。【選択図】図２
2020199075.tif 000002
【特許請求の範囲】
【請求項１】
使用者の気道の入口位置に装着されると共に前記気道を閉塞する気道閉塞体と、
前記気道閉塞体を貫通し、喉側から肺側に向かう空気の流通を規制し、前記肺側から前記喉側に向かう空気の流通を許容する第１弁が配設された吐出用経路と、
前記気道閉塞体を貫通し、前記喉側から前記肺側に向かう空気の流通を許容し、前記肺側から前記喉側に向かう空気の流通を規制する第２弁が配設された吸入用経路と、を具備し、
前記吸入用経路は、前記使用者の鼻腔から外部に連通していると共に、前記鼻腔内で膨張する膨張体により前記鼻腔内で保持されていることを特徴とする誤嚥性肺炎防止具。
【請求項２】
前記吐出用経路の前記肺側の端部位置は前記使用者の声帯よりも前記喉側に位置していることを特徴とする請求項１記載の誤嚥性肺炎防止具。
【請求項３】
前記吸入用経路にはフィルタが配設されていることを特徴とする請求項１または２記載の誤嚥性肺炎防止具。
【請求項４】
前記フィルタは、前記第２弁よりも外部側の位置に設けられていることを特徴とする請求項３記載の誤嚥性肺炎防止具。
【請求項５】
前記吸入用経路には前記吸入用経路を鼻孔に係止する係止部がさらに設けられていることを特徴とする請求項１〜４のうちのいずれか一項に記載の誤嚥性肺炎防止具。
【請求項６】
前記係止部が前記膨張体への給気を行う給気手段を兼ねていることを特徴とする請求項５記載の誤嚥性肺炎防止具。
【発明の詳細な説明】
【技術分野】
【０００１】
本発明は誤嚥性肺炎防止具に関する。
【背景技術】
【０００２】
食事等の飲食をする際には、飲食物の嚥下を行うことによる反射作用で喉頭蓋が気道の入口部分を覆って飲食物のすべてを食道に流下させるようになっているが、加齢等により喉頭蓋の動作が鈍くなり、飲食物が気道に入り込んでしまうことがある。このように飲食物等の異物が気道に侵入した際には、咳により異物の排出がなされるはずではあるが、咳の力も加齢により衰えるため、異物の排出ができず、気道に異物が滞留してしまうことがある。このように気道に異物が滞留することによって気道が炎症してしまった状態が誤嚥性肺炎である。
【０００３】
近年においては、このような誤嚥性肺炎への罹患を防止するための誤嚥性肺炎防止具として、特許文献１（特開２０１７−１６９７９７号公報）に開示されているようなものが知られている。
【先行技術文献】
【特許文献】
【０００４】
【特許文献１】特開２０１７−１６９７９７号公報（請求項３、図６等）
【発明の概要】
【発明が解決しようとする課題】
【０００５】
特許文献１に開示されている構成によれば、気道と食道とを完全に分離することができ、誤嚥性肺炎への罹患を防止することが可能になるものの、気道と食道における占有スペースが大きく、飲食をする際において飲食物を嚥下する際に邪魔になってしまうおそれがあるといった課題がある。
【課題を解決するための手段】
【０００６】
そこで本発明は、食事等の飲食をする際において飲食物の嚥下の妨げになることがないと共に、誤嚥性肺炎を確実に防止することを可能にした使い勝手に優れた誤嚥性肺炎防止具の提供を目的としている。
【０００７】
すなわち本発明は、使用者の気道の入口位置に装着されると共に前記気道を閉塞する気道閉塞体と、前記気道閉塞体を貫通し、喉側から肺側に向かう空気の流通を規制し、前記肺側から前記喉側に向かう空気の流通を許容する第１弁が配設された吐出用経路と、前記気道閉塞体を貫通し、前記喉側から前記肺側に向かう空気の流通を許容し、前記肺側から前記喉側に向かう空気の流通を規制する第２弁が配設された吸入用経路と、を具備し、前記吸入用経路は、前記使用者の鼻腔から外部に連通していると共に、前記鼻腔内で膨張する膨張体により前記鼻腔内で保持されていることを特徴とする誤嚥性肺炎防止具である。
【０００８】
これにより、食事等の飲食をする際において飲食物の嚥下の妨げになることがないと共に、誤嚥性肺炎を確実に防止することができる。
【０００９】
また、前記吐出用経路の前記肺側の端部位置は前記使用者の声帯よりも前記喉側に位置していることが好ましい。
【００１０】
これにより、使用者は気道を覆う気道閉塞体を自らの気道の入口位置に配したとしても通常通り声を出すことができる。
【００１１】
また、前記吸入用経路にはフィルタが配設されていることが好ましい。
【００１２】
これにより、フィルタを通過させることにより清浄化されたきれいな空気を肺に取り込むことができる。
【００１３】
前記フィルタは、前記第２弁よりも外部側の位置に設けられていることが好ましい。
【００１４】
これにより第２弁を常時きれいな状態に維持することができ、第２弁の洗浄メンテナンス等を低減させることができる。
【００１５】
また、前記吸入用経路には前記吸入用経路を鼻孔に係止する係止部がさらに設けられていることが好ましい。
【００１６】
これにより、吸入用経路を安定した状態で鼻腔内に保持させておくことができる。
【００１７】
また、前記係止部が前記膨張体への給気を行う給気手段を兼ねていることが好ましい。
【００１８】
これにより、鼻腔内で膨張体が萎んでしまった際には再度空気を供給することができ、膨張体を適切な状態に維持することができる。
【発明の効果】
【００１９】
本発明における誤嚥性肺炎防止具の構成によれば、食事等の飲食をする際において飲食物の嚥下の妨げになることがないと共に、誤嚥性肺炎を確実に防止することができる。また、食道と気道とを確実に区分けしていると共に、食道部分における占有スペースが少ないため、飲食物の嚥下の妨げにならない。よって、食事制限をすることなく通常通りの生活を送りながらも誤嚥性肺炎を確実に防止することができる。
【図面の簡単な説明】
【００２０】
【図１】本実施形態における誤嚥性防止具の全体図である。
【図２】本実施形態における誤嚥性防止具の使用時状態を示す説明図である。
【図３】本実施形態における誤嚥性防止具における係止部の拡大図である。
【図４】係止部の変形例を示す説明図である。
【発明を実施するための形態】
【００２１】
本実施形態における誤嚥性肺炎防止具１００について説明する。図１および図２に示すように、本実施形態における誤嚥性肺炎防止具１００は、使用者の気道ＫＤを閉塞する気道閉塞体１０と、気道閉塞体１０を貫通する吐出用経路２０および吸入用経路３０を具備している。
【００２２】
気道閉塞体１０は、シリコーンゴム等に代表される人体に無害の合成樹脂等により円板状に形成されている。このような気道閉塞体１０は、医師による外科的手術により使用者の気道ＫＤの入口位置に装着される。このように気道閉塞体１０を気道ＫＤの入口位置に装着することにより、吐出用経路２０および吸入用経路３０における経路部分を除いて、口腔内から気道ＫＤへの通路を閉塞することができる。
【００２３】
本実施形態における吐出用経路２０は、気道閉塞体１０と同一の材料によりチューブ状に形成されていると共に、気道閉塞体１０の厚さ方向を貫通させた状態で気道閉塞体１０に取り付けられている。吐出用経路２０の経路内には、使用者の喉側ＮＧから肺側ＨＧに向かう空気の流通を規制し、肺側ＨＧから喉側ＮＧに向かう空気の流通を許容する第１弁２２が配設されている。このような第１弁２２としては逆止弁を例示することができる。
【００２４】
また、本実施形態における吐出用経路２０は、肺側端部２４の位置が使用者の声帯ＳＴの位置よりも喉側ＮＧの位置となるように調整されていることが好ましい。このようにすることで、使用者が吐き出す息は、声帯ＳＴを通過した後に吐出用経路２０を経由して外部ＯＴに放出させることができるため、誤嚥性肺炎防止具１００を装着していても使用者は通常通りに発声することができる。また、吐出用経路２０の外部側端部２６は気道閉塞体１０よりも外部ＯＴの側（喉側ＮＧ）に位置し、気道閉塞体１０からの突出量は可及的に短くしておくことが好ましい。このような吐出用経路２０の長さを採用することにより、使用者が飲食等により嚥下した飲食物の吐出用経路２０への侵入を防止することができる点において好都合である。
【００２５】
吸入用経路３０は、気道閉塞体１０と同一の材料によりチューブ状に形成されていると共に、気道閉塞体１０の厚さ方向を貫通させた状態で気道閉塞体１０に固定されている。吸入用経路３０の経路内には使用者の喉側ＮＧから肺側ＨＧに向かう空気の流通を許容し、肺側ＨＧから喉側ＮＧに向かう空気の流通を規制する第２弁３２が配設されている。このような第２弁３２としては逆止弁を例示することができる。
【００２６】
また、吸入用経路３０は気道ＫＤから鼻腔ＢＫを経由して外部ＯＴに連通している。吸入用経路３０における鼻腔ＢＫに挿通されている部分には膨張体３４が取り付けられている。図１に示すように膨張前の膨張体３４は吸入用経路３０の外周面に略密着した状態で取り付けられていて、膨張体３４の位置における外径寸法と吸入用経路３０の外形寸法はほぼ等しい状態になっている。膨張体３４に空気等の流体を注入して膨張体３４を吸入用経路３４の径外方向に膨張させると、図２に示すように膨張体３４の外表面が鼻腔ＢＫの内壁面に当接することにより、吸入用経路３０を鼻腔ＢＫに保持（固定）させている。このような膨張体３４としては、内部空間に空気を注入して膨張する医療用バルーンを例示することができる。
【００２７】
吸入用経路３０の流通路には外部ＯＴから取り込んだ空気を濾過するフィルタ３６を配設することが好ましい。このようなフィルタ３６は吸入用経路３０の外部側の端部位置に配設することがより好ましい。また、吸入用経路３０に配設するフィルタ３６の位置は、第２弁３２の配設位置よりも外部側であることが好ましい。このように吸入用経路３０にフィルタ３６を設けることで、使用者が呼吸をして外部ＯＴの空気を取り込む際には、フィルタ３６による濾過処理により清浄化された空気を取り込むことができる。これにより使用者は、健康的な生活ができると共に第２弁３２の洗浄メンテナンス等を軽減することができる点において好都合である。
【００２８】
また、吸入用経路３０の膨張体３４が配設されている部分の近傍位置には、図３に示すように吸入用経路３０を鼻孔ＨＮに係止する係止部３８が設けられていてもよい。このような係止部３８としては、鼻孔ＨＮに係止する係止体３８Ａと、係止体３８Ａと吸入用経路３０を連結する連結体３８Ｂとを有する構成を例示することができる。本実施形態における係止体３８Ａは、合成ゴム等に代表される合成樹脂等によりＣ字状に形成されたものを採用している。このような係止体３８Ａによれば、使用者が係止体３８Ａの開口部分を広げるようにし、自らの鼻孔ＨＮをクランプさせるようにして取り付けすることができる。
【００２９】
このような係止部３８を採用することにより、膨張体３４が萎んでしまった場合においても吸入用経路３０を鼻腔ＢＫの位置で安定させた状態で保持することができ、快適な使い心地を維持することができる点において好都合である。さらに図４に示すように、空気注入ポンプ等が接続可能な空気注入部３８Ｃを有するチューブ状の連結体３８Ｂの構成を採用すれば、係止部３８が膨張体３４への給気を行う給気手段を兼ねる形態にすることもできる。
【００３０】
以上に本実施形態における誤嚥性肺炎防止具１００について説明したが、本発明における誤嚥性肺炎防止具１００は、本実施形態に限定されるものではない。例えば、本実施形態においては、吐出用経路２０に配設した第１弁２２は、気道閉塞体１０よりも肺側ＨＧの位置に配設した形態を示しているが、気道閉塞体１０よりも喉側ＮＧの位置または外部側端部２６の位置に配設するようにしてもよい。
【００３１】
また、吐出用経路２０の外部側端部２６の位置は、使用者の好みや医師の判断に応じて適宜変更することができる。また、吐出用経路２０の所要長さ範囲における外部側端部２６をＵ字型に形成し、Ｕ字型に形成した外部側端部２６の開口部を嚥下した飲食物の流下方向に向けておけば、外部側端部２６の開口部に嚥下した飲食物が侵入してしまうことがないため好都合である。
【００３２】
さらには、吐出用経路２０の外部側端部２６に図示しないフラップを開閉可能に取り付けるようにしても良い。このとき、吐出用経路２０の外部側端部２６を図２に示すようにスラッシュカットし、スラッシュカットした外部側端部２６の飲食物の流下方向における上流側に相当する部分で図示しないヒンジでフラップを連結させることが好ましい。これにより、肺側ＨＧからの空気の排出は許容され、喉側ＮＧから流下してくる飲食物等が外部側端部２６の開口部から肺側ＨＧに流入することを確実に防止することができる。また、声が出しやすいように吐出用経路２０の外部側端部２６の開口部を上側に向けることができる。
【００３３】
また、本実施形態における吸入用経路３０にはフィルタ３６および係止部３８がそれぞれ配設された形態について説明しているが、これらフィルタ３６および係止部３８の構成は省略することもできる。
【００３４】
また、以上に説明した本実施形態の構成に対し、明細書中に記載されている変形例や、他の公知の構成を適宜組み合わせた形態を採用することもできる。
【符号の説明】
【００３５】
１０  気道閉塞体，
２０  吐出用経路，２２  第１弁，２４  肺側端部，２６  外部側端部，
３０  吸入用経路，３２  第２弁，３４  膨張体，３６  フィルタ，
３８  係止部，３８Ａ  係止体，３８Ｂ  連結体，３８Ｃ  空気注入部，
１００  誤嚥性肺炎防止具，
ＫＤ  気道，ＨＧ  肺側，ＮＧ  喉側，ＢＫ  鼻腔，ＨＮ  鼻孔，
ＯＴ  外部，ＳＴ  声帯
【図１】
2020199075.tif 000003
【図２】
2020199075.tif 000004
【図３】
2020199075.tif 000005
【図４】
2020199075.tif 000006